(57)【特許請求の範囲】
【請求項１】
送信すべき画像データを出力する画像データ出力部と、
重畳情報の表示データを発生する表示データ発生部と、
上記画像データ出力部から出力された画像データに、上記表示データ発生部で発生された重畳情報の表示データを重畳して出力画像データを得るデータ合成部と、
上記データ合成部で得られた出力画像データを、伝送路を介して、外部機器に送信する画像データ送信部と、
上記外部機器から送られてくる表示処理情報を受信する情報受信部とを備え、
上記画像データ出力部から出力された画像データは、二次元画像データあるいは所定の伝送方式の三次元画像データであり、
上記表示データ発生部は、
上記情報受信部で受信された表示処理情報に基づいて、上記外部機器の表示処理に対応した出力形式で上記重畳情報の表示データを発生する
画像データ送信装置。
【請求項２】
上記表示データ発生部は、
上記外部機器の表示処理に対応した出力形式で上記重畳情報の表示データを発生できないとき、上記重畳情報の表示データを発生しない
請求項１に記載の画像データ送信装置。
【請求項３】
上記情報受信部は、
上記外部機器から、上記伝送路を構成する制御データラインを介して上記表示処理情報を受信する
請求項１に記載の画像データ送信装置。
【請求項４】
送信すべき画像データを出力する画像データ出力ステップと、
重畳情報の表示データを発生する表示データ発生ステップと、
上記画像データ出力ステップで出力された画像データに、上記表示データ発生ステップで発生された重畳情報の表示データを重畳して出力画像データを得るデータ合成ステップと、
上記データ合成ステップで得られた出力画像データを、伝送路を介して外部機器に送信する画像データ送信ステップと、
上記外部機器から送られてくる表示処理情報を受信する情報受信ステップとを備え、
上記画像データ出力ステップで出力された画像データは、二次元画像データあるいは所定の伝送方式の三次元画像データであり、
上記表示データ発生ステップでは、
上記情報受信ステップで受信された表示処理情報に基づいて、上記外部機器の表示処理に対応した出力形式で上記重畳情報の表示データを発生する
画像データ送信方法。
【請求項５】
外部機器から、伝送路を介して、二次元画像データあるいは所定の伝送方式の三次元画像データを受信する画像データ受信部と、
上記画像データ受信部で受信された画像データに対して表示処理を行って表示画像データを得る画像データ処理部と、
上記画像データ処理部の表示処理情報を上記外部機器に送信する情報送信部と
を備える画像データ受信装置。
【請求項６】
上記画像データ受信部で受信された画像データが二次元画像データであるか三次元画像データであるかを検出し、さらに三次元画像データであるとき該三次元画像データの伝送方式を検出する方式検出部をさらに備え、
上記画像データ処理部は、上記方式検出部の検出結果に基づいて、上記画像データ受信部で受信された画像データに対する表示処理を切り替え、
上記情報送信部は、上記画像データ処理部の表示処理の切り替えがあるとき、該画像データ処理部の表示処理情報を、上記外部機器に送信する
請求項５に記載の画像データ受信装置。
【請求項７】
ユーザが上記画像データ処理部の表示処理を切り替えるためのユーザ操作部をさらに備え、
上記画像データ処理部は、上記ユーザ操作部による切り替え操作に応じて、上記画像データ受信部で受信された画像データに対する表示処理を切り替え、
上記情報送信部は、上記画像データ処理部の表示処理の切り替えがあるとき、該画像データ処理部の表示処理情報を、上記外部機器に送信する
請求項５に記載の画像データ受信装置。
【請求項８】
上記情報送信部は、
上記外部機器に、上記伝送路を構成する制御データラインを介して上記表示処理情報を送信する
請求項５に記載の画像データ受信装置。
【請求項９】
外部機器から、伝送路を介して、二次元画像データあるいは所定の伝送方式の三次元画像データを受信する画像データ受信ステップと、
上記画像データ受信ステップで受信された画像データに対して表示処理を行って表示画像データを得る画像データ処理ステップと、
上記画像データ処理ステップの表示処理情報を上記外部機器に送信する情報送信ステップと
を備える画像データ受信方法。
【請求項１０】
画像データ送信装置と画像データ受信装置とが伝送路を介して接続されてなる画像データ送受信システムであって、
上記画像データ送信装置は、
送信すべき画像データを出力する画像データ出力部と、
重畳情報の表示データを発生する表示データ発生部と、
上記画像データ出力部から出力された画像データに、上記表示データ発生部で発生された重畳情報の表示データを重畳して出力画像データを得るデータ合成部と、
上記データ合成部で得られた出力画像データを、伝送路を介して、上記画像データ受信装置に送信する画像データ送信部と、
上記画像データ受信装置から送られてくる表示処理情報を受信する情報受信部とを備え、
上記画像データ出力部から出力された画像データは、二次元画像データあるいは所定の伝送方式の三次元画像データであり、
上記表示データ発生部は、
上記情報受信部で受信された表示処理情報に基づいて、上記画像データ受信装置の表示処理に対応した出力形式で上記重畳情報の表示データを発生し、
上記画像データ受信装置は、
上記画像データ送信装置から、伝送路を介して、二次元画像データあるいは所定の伝送方式の三次元画像データを受信する画像データ受信部と、
上記画像データ受信部で受信された画像データに対して表示処理を行って表示画像データを得る画像データ処理部と、
上記画像データ処理部の表示処理情報を上記画像データ送信装置に送信する情報送信部とを備える
画像データ送受信システム。
【発明の詳細な説明】
【技術分野】
【０００１】
この発明は、画像データ送信装置、画像データ送信方法、画像データ受信装置、画像データ受信方法および画像データ送受信システムに関し、特に、二次元画像データおよびこの二次元画像データと互換性のあるサイドバイサイド方式、トップアンドボトム方式などの立体（三次元）画像データを取り扱う画像データ送信装置等に関する。
【背景技術】
【０００２】
従来、放送局から送信される画像データをセットトップボックス（ＳＴＢ：Set Top Box）で受信し、この画像データを、さらに、このセットトップボックスからテレビ受信機（ＴＶ：Television）にＨＤＭＩ（High Definition Multimedia Interface）規格などのデジタルインタフェースで送信することが知られている。例えば、非特許文献１には、ＨＤＭＩ規格の詳細についての記載がある。
【０００３】
このように放送局から送信される画像データとしては、二次元画像データの他に、例えば左眼画像データおよび右眼画像データを含む立体画像データもある。例えば、特許文献１には、立体画像データのテレビ放送電波を用いた伝送方式について提案されている。この場合、左眼画像データおよび右眼画像データを含む立体画像データが送信され、テレビ受信機において、両眼視差を利用した立体画像表示が行われる。
【０００４】
このように放送局から送信される立体画像データとして、二次元画像データと互換性のあるサイドバイサイド（Side By Side）方式、トップアンドボトム（Top & Bottom）方式などの立体画像データが知られている。サイドバイサイド方式では、例えば、水平方向の前半では左眼画像データのピクセルデータが伝送され、水平方向の後半では右眼画像データのピクセルデータが伝送される。トップアンドボトム方式では、例えば、垂直方向の前半では左眼画像データの各ラインのデータが送信され、垂直方向の後半では右眼画像データの各ラインのデータが伝送される。
【先行技術文献】
【特許文献】
【０００５】
【特許文献１】特開２００５−６１１４号公報
【非特許文献】
【０００６】
【非特許文献１】High-Definition MultimediaInterface Specification Version 1.4,June 5 2009
【発明の概要】
【発明が解決しようとする課題】
【０００７】
上述したセットトップボックスにおいて、画像データに、メニュー等の重畳情報の表示データ（ＯＳＤ表示データ）を重畳することが行われる。このようにセットトップボックスにおいてＯＳＤ表示データを重畳する場合、ＯＳＤ表示データを、画像データの方式に対応した出力形式で発生することが必要となる。ここで、画像データの方式とは、二次元画像データであるか立体画像データであるかであり、立体画像データである場合にはさらにどのような伝送方式であるかである。
【０００８】
上述したように、放送局から送信される立体画像データが、二次元画像データと互換性のあるサイドバイサイド（ＳＢＳ：Side By Side）方式、トップアンドボトム（Ｔ＆Ｂ：Top & Bottom）方式などの立体画像データである場合がある。そのため、セットトップボックスにおいて、放送局から送信される画像データの方式を把握することが難しく、ＯＳＤ表示データの出力形式を画像データの方式に対応させることが困難となる。
【０００９】
この場合、ＯＳＤ表示データの出力形式が画像データの方式に対応していなければ、テレビ受信機においてＯＳＤ表示が正しく行われなくなる。つまり、ＯＳＤ表示が破綻する。以下に、セットトップボックスで画像データにＯＳＤ表示データを重畳してテレビ受信機に送信して表示処理を行う場合のユースケース例を示す。
【００１０】
図１０は、セットトップボックスの受信画像データが図１０（ａ）に示すように二次元（２Ｄ）画像データであり、ＯＳＤ表示データの出力形式が図１０（ｂ）に示すように二次元（２Ｄ）画像データに対応した出力形式である場合を示している。この場合、テレビ受信機で図１０（ｃ）に示すように二次元画像データの表示処理（２Ｄ表示処理）が行われるとき、二次元画像は正しく表示され、ＯＳＤ表示も二次元画像上に正しく行われる。
【００１１】
図１１は、セットトップボックスの受信画像データが図１１（ａ）に示すようにサイドバイサイド（ＳＢＳ：Side By Side）方式の立体（３Ｄ）画像データであり、ＯＳＤ表示データの出力形式が図１１（ｂ）に示すようにサイドバイサイド方式の立体画像データに対応した出力形式である場合を示している。この場合、テレビ受信機で図１１（ｃ）に示すようにサイドバイサイド方式の立体画像データの表示処理（３ＤＳＢＳ表示処理）が行われるとき、左眼（Ｌ）画像および右眼（Ｒ）画像は正しく表示され、ＯＳＤ表示もそれぞれの画像上に正しく行われる。
【００１２】
図１２は、セットトップボックスの受信画像データが図１２（ａ）に示すようにサイドバイサイド（ＳＢＳ）方式の立体（３Ｄ）画像データであり、ＯＳＤ表示データの出力形式が図１２（ｂ）に示すように二次元画像データに対応した出力形式である場合を示している。この場合、テレビ受信機で図１２（ｃ）に示すようにサイドバイサイド方式の立体画像データの表示処理（３ＤＳＢＳ表示処理）が行われるとき、左眼（Ｌ）画像および右眼（Ｒ）画像は正しく表示されるが、ＯＳＤ表示は中央で左右に切り離されてそれぞれの画像上に正しく表示されない。
【００１３】
図１３は、セットトップボックスの受信画像データが図１３（ａ）に示すようにトップアンドボトム（Ｔ＆Ｂ：Top & Bottom）方式の立体（３Ｄ）画像データであり、ＯＳＤ表示データの出力形式が図１３（ｂ）に示すようにトップアンドボトム方式の立体画像データに対応した出力形式である場合を示している。この場合、テレビ受信機で図１３（ｃ）に示すようにトップアンドボトム方式の立体画像データの表示処理（３ＤＴ＆Ｂ表示処理）が行われるとき、左眼（Ｌ）画像および右眼（Ｒ）画像は正しく表示され、ＯＳＤ表示もそれぞれの画像上に正しく行われる。
【００１４】
図１４は、セットトップボックスの受信画像データが図１４（ａ）に示すようにトップアンドボトム（Ｔ＆Ｂ）方式の立体（３Ｄ）画像データであり、ＯＳＤ表示データの出力形式が図１４（ｂ）に示すように二次元画像データに対応した出力形式である場合を示している。この場合、テレビ受信機で図１４（ｃ）に示すようにトップアンドボトム方式の立体画像データの表示処理（３ＤＴ＆Ｂ表示処理）が行われるとき、左眼（Ｌ）画像および右眼（Ｒ）画像は正しく表示されるが、ＯＳＤ表示は中央で上下に切り離されてそれぞれの画像上に正しく表示されない。
【００１５】
図１５は、セットトップボックスの受信画像データが図１５（ａ）に示すようにトップアンドボトム（Ｔ＆Ｂ：Top & Bottom）方式の立体（３Ｄ）画像データであり、ＯＳＤ表示データの出力形式が図１５（ｂ）に示すようにサイドバイサイド方式の立体画像データに対応した出力形式である場合を示している。この場合、テレビ受信機で図１５（ｃ）に示すようにトップアンドボトム方式の立体画像データの表示処理（３ＤＴ＆Ｂ表示処理）が行われるとき、左眼（Ｌ）画像および右眼（Ｒ）画像は正しく表示されるが、ＯＳＤ表示は中央で上下に切り離されてそれぞれの画像上に正しく表示されない。
【００１６】
この発明の目的は、二次元画像データあるいは所定伝送方式の立体画像データに重畳情報のデータを重畳して送信する場合に、送信画像データによる画像に重畳情報が正しく表示されるようにすることにある。
【課題を解決するための手段】
【００１７】
この発明の概念は、
送信すべき画像データを出力する画像データ出力部と、
重畳情報の表示データを発生する表示データ発生部と、
上記画像データ出力部から出力された画像データに、上記表示データ発生部で発生された重畳情報の表示データを重畳して出力画像データを得るデータ合成部と、
上記データ合成部で得られた出力画像データを、伝送路を介して、外部機器に送信する画像データ送信部と、
上記外部機器から送られてくる表示処理情報を受信する情報受信部とを備え、
上記画像データ出力部から出力された画像データは、二次元画像データあるいは所定の伝送方式の三次元画像データであり、
上記表示データ発生部は、
上記情報受信部で受信された表示処理情報に基づいて、上記外部機器の表示処理に対応した出力形式で上記重畳情報の表示データを発生する
画像データ送信装置にある。
【００１８】
この発明においては、画像データ出力部により、送信すべき画像データが出力される。例えば、画像データ出力部は、放送信号を処理して受信画像データを得るデジタルチューナ、あるいはこのデジタルチューナの受信画像データを記録媒体などに記録し、再生する記録部などにより構成される。この画像データは、二次元画像データ、あるいはサイドバイサイド方式、トップアンドボトム方式などの所定の伝送方式の三次元画像データである。
【００１９】
表示データ発生部により、メニュー、字幕、その他の重畳情報の表示データが発生される。そして、データ合成部により、画像データに重畳情報の表示データが重畳され、出力画像データが得られる。この出力画像データは、画像データ送信部により、伝送路を介して、外部機器に送信される。例えば、伝送路は、ＨＤＭＩなどのデジタルインタフェースを用いた有線伝送路、あるいは無線伝送路である。
【００２０】
情報受信部により、外部機器から送られてくる表示処理情報が受信される。外部機器では、例えば、自動的に、あるいは、ユーザ操作に応じて、画像データの方式に対応した表示処理が行われる。例えば、画像データが２次元画像データであるとき、この２次元画像データの表示処理（２Ｄ表示処理）が行われる。また、例えば、画像データがサイドバイサイド方式の立体画像データであるとき、この立体画像データの表示処理（３ＤＳＢＳ表示処理）が行われる。また、例えば、画像データがトップアンドボトム方式の立体画像データであるとき、この立体画像データの表示処理（３ＤＴ＆Ｂ表示処理）が行われる。例えば、情報受信部では、伝送路を構成する制御データライン、例えばＨＤＭＩケーブルのＣＥＣラインを介して外部機器から表示処理情報が受信される。
【００２１】
表示データ発生部では、情報受信部で受信される表示処理情報に基づいて、外部機器の表示処理に対応した出力形式で重畳情報の表示データが発生される。例えば、外部機器の表示処理が２次元画像データの表示処理（２Ｄ表示処理）である場合に、重畳情報の表示データは２次元画像データに対応した出力形式で発生される。また、例えば、外部機器の表示処理がサイドバイサイド方式の立体画像データの表示処理（３ＤＳＢＳ表示処理）である場合に、重畳情報の表示データはサイドバイサイド方式の立体画像データに対応した出力形式で発生される。また、例えば、外部機器の表示処理がトップアンドボトム方式の立体画像データの表示処理（３ＤＴ＆Ｂ表示処理）である場合に、重畳情報の表示データはトップアンドボトム方式の立体画像データに対応した出力形式で発生される。
【００２２】
このように、この発明においては、重畳情報の表示データは、外部機器から送られてくる表示処理情報に基づいて、外部機器の表示処理に対応した出力形式で発生される。そのため、送信すべき画像データに重畳される重畳情報の表示データは、その画像データの方式に対応した出力形式で発生される。したがって、画像データが送信される外部機器において、画像データの方式によらず、画像上に重畳情報を正しく表示させることが可能となる。
【００２３】
また、この発明において、例えば、表示データ発生部は、外部機器の表示処理に対応した出力形式で重畳情報の表示データを発生できないとき、重畳情報の表示データを発生しない、ようにしてもよい。この場合、送信すべき画像データに重畳情報の表示データが重畳されないので、画像データが送信される外部機器において、画像上に重畳情報を正しく表示されないことを回避できる。
【００２４】
また、この発明の他の概念は、
外部機器から、伝送路を介して、二次元画像データあるいは所定の伝送方式の三次元画像データを受信する画像データ受信部と、
上記画像データ受信部で受信された画像データに対して表示処理を行って表示画像データを得る画像データ処理部と、
上記画像データ処理部の表示処理情報を上記外部機器に送信する情報送信部と
を備える画像データ受信装置にある。
【００２５】
この発明において、画像データ受信部により、外部機器から、伝送路を介して、二次元画像データあるいは所定の伝送方式の三次元画像データが受信される。そして、画像データ処理部により、受信画像データに対して表示処理が行われて、表示画像データが得られる。例えば、受信画像データが二次元画像データである場合、表示画像データとして、二次元画像データが得られる。また、例えば、受信画像データがサイドバイサイド方式、あるいはトップアンドボトム方式の立体（三次元）画像データである場合、表示画像データとして、左眼画像データおよび右眼画像データが得られる。
【００２６】
情報送信部により、画像データ処理部の表示処理情報が外部機器に送信される。例えば、受信画像データが二次元画像データであるとき、二次元画像データの表示処理（２Ｄ表示処理）が行われるが、その表示処理情報が外部機器に送信される。また、受信画像データがサイドバイサイド方式、あるいはトップアンドボトム方式の立体（三次元）画像データであるとき、立体画像データの表示処理（３ＤＳＢＳ表示処理あるいは３ＤＴ＆Ｂ表示処理）が行われるが、その表示処理情報が外部機器に送信される。例えば、情報送信部では、伝送路を構成する制御データライン、例えばＨＤＭＩケーブルのＣＥＣラインを介して外部機器に表示処理情報が送信される。
【００２７】
例えば、画像データ受信部で受信された画像データが二次元画像データであるか三次元画像データであるかを検出し、さらに三次元画像データであるときこの三次元画像データの伝送方式を検出する方式検出部をさらに備え、画像データ処理部は、方式検出部の検出結果に基づいて、画像データ受信部で受信された画像データに対する表示処理を切り替え、情報送信部は、画像データ処理部の表示処理の切り替えがあるとき、この画像データ処理部の表示処理情報を、外部機器に送信する、ようにしてもよい。
【００２８】
また、例えば、ユーザが画像データ処理部の表示処理を切り替えるためのユーザ操作部をさらに備え、画像データ処理部は、ユーザ操作部による切り替え操作に応じて、画像データ受信部で受信された画像データに対する表示処理を切り替え、情報送信部は、画像データ処理部の表示処理の切り替えがあるとき、この画像データ処理部の表示処理情報を、外部機器に送信する、ようにしてもよい。
【００２９】
このように、この発明においては、表示処理情報が、外部機器に送信される。そのため、外部機器において、重畳情報の表示データは、この表示処理情報に基づいて、表示処理に対応した出力形式で発生される。そのため、外部機器において、送信すべき画像データに重畳される重畳情報の表示データは、その画像データの方式に対応した出力形式で発生される。したがって、画像データの方式によらず、画像上に重畳情報を正しく表示させることが可能となる。
【発明の効果】
【００３０】
この発明によれば、二次元画像データあるいは所定伝送方式の三次元（立体）画像データに重畳情報のデータを重畳して送信する場合に、送信画像データによる画像に重畳情報を正しく表示できる。
【図面の簡単な説明】
【００３１】
【図１】この発明の実施の形態としての画像データ送受信システムの構成例を示すブロック図である。
【図２】画像データ送受信システムにおける、ディスクレコーダのＨＤＭＩ送信部（ＨＤＭＩソース）と、テレビ受信機のＨＤＭＩ受信部（ＨＤＭＩシンク）の構成例を示す図である。
【図３】画像データ送受信システムを構成するディスクレコーダの構成例を示すブロック図である。
【図４】ディスクレコーダのＣＰＵにおけるＯＳＤ表示データの出力形式の制御処理の一例を示すフローチャートである。
【図５】画像データ送受信システムを構成するテレビ受信機の構成例を示すブロック図である。
【図６】テレビ受信機のＣＰＵにおける画像データの方式検出処理、３Ｄ信号処理部の制御処理、表示状態通知処理の一例を示すフローチャートである。
【図７】ディスクレコーダとテレビ受信機の動作シーケンスの一例を示す図である。
【図８】ユーザ操作によって表示処理の切り替えが行われる場合の、テレビ受信機のＣＰＵにおける３Ｄ信号処理部の制御処理、表示状態通知処理の一例を示すフローチャートである。
【図９】ディスクレコーダとテレビ受信機の動作シーケンスの他の一例を示す図である。
【図１０】セットトップボックスの受信画像データ、ＯＳＤ表示データの出力形式、テレビ受信機の表示処理の一例を説明するための図である。
【図１１】セットトップボックスの受信画像データ、ＯＳＤ表示データの出力形式、テレビ受信機の表示処理の他の例を説明するための図である。
【図１２】セットトップボックスの受信画像データ、ＯＳＤ表示データの出力形式、テレビ受信機の表示処理の他の例を説明するための図である。
【図１３】セットトップボックスの受信画像データ、ＯＳＤ表示データの出力形式、テレビ受信機の表示処理の他の例を説明するための図である。
【図１４】セットトップボックスの受信画像データ、ＯＳＤ表示データの出力形式、テレビ受信機の表示処理の他の例を説明するための図である。
【図１５】セットトップボックスの受信画像データ、ＯＳＤ表示データの出力形式、テレビ受信機の表示処理の他の例を説明するための図である。
【発明を実施するための形態】
【００３２】
以下、発明を実施するための形態（以下、「実施の形態」とする）について説明する。なお、説明を以下の順序で行う。
１．実施の形態
２．変形例
【００３３】
＜１．実施の形態＞
［画像データ送受信システムの構成例］
図１は、実施の形態としての画像データ送受信システム１０の構成例を示している。この画像データ送受信システム１０は、放送局１００と、ディスクレコーダ２００と、テレビ受信機３００を有している。ディスクレコーダ２００およびテレビ受信機３００は、ＨＤＭＩ（High Definition Multimedia Interface）ケーブル４００を介して接続されている。
【００３４】
ディスクレコーダ２００には、ＨＤＭＩ送信部２０１が接続されたＨＤＭＩ端子２０２が設けられている。テレビ受信機３００には、ＨＤＭＩ受信部３０１が接続されたＨＤＭＩ端子３０２が設けられている。ＨＤＭＩケーブル４００の一端はディスクレコーダ２００のＨＤＭＩ端子２０２に接続され、このＨＤＭＩケーブル４００の他端はテレビ受信機３００のＨＤＭＩ端子３０２に接続されている。
【００３５】
［ＨＤＭＩ送信部、ＨＤＭＩ受信部の構成例］
図２は、図１の画像データ送受信システム１０における、ディスクレコーダ２００のＨＤＭＩ送信部（ＨＤＭＩソース）２０１と、テレビ受信機３００のＨＤＭＩ受信部（ＨＤＭＩシンク）３０１の構成例を示している。
【００３６】
ＨＤＭＩ送信部２０１は、有効画像区間（以下、適宜、アクティブビデオ区間ともいう）において、非圧縮の１画面分の画像の画素データに対応する差動信号を、複数のチャネルで、ＨＤＭＩ受信部３０１に一方向に送信する。ここで、有効画像区間は、一の垂直同期信号から次の垂直同期信号までの区間から、水平帰線区間及び垂直帰線区間を除いた区間である。また、ＨＤＭＩ送信部２０１は、水平帰線区間または垂直帰線区間において、少なくとも画像に付随する音声データや制御データ、その他の補助データ等に対応する差動信号を、複数のチャネルで、ＨＤＭＩ受信部３０１に一方向に送信する。
【００３７】
ＨＤＭＩ送信部２０１とＨＤＭＩ受信部３０１とからなるＨＤＭＩシステムの伝送チャネルには、以下の伝送チャネルがある。すなわち、ＨＤＭＩ送信部２０１からＨＤＭＩ受信部３０１に対して、画素データおよび音声データを、ピクセルクロックに同期して、一方向にシリアル伝送するための伝送チャネルとしての、３つのＴＭＤＳチャネル＃０乃至＃２がある。また、ピクセルクロックを伝送する伝送チャネルとしての、ＴＭＤＳクロックチャネルがある。
【００３８】
ＨＤＭＩ送信部２０１は、ＨＤＭＩトランスミッタ８１を有する。トランスミッタ８１は、例えば、非圧縮の画像の画素データを対応する差動信号に変換し、複数のチャネルである３つのＴＭＤＳチャネル＃０，＃１，＃２で、ＨＤＭＩケーブル４００を介して接続されているＨＤＭＩ受信部３０１に、一方向にシリアル伝送する。
【００３９】
また、トランスミッタ８１は、非圧縮の画像に付随する音声データ、さらには、必要な制御データその他の補助データ等を、対応する差動信号に変換し、３つのＴＭＤＳチャネル＃０，＃１，＃２でＨＤＭＩ受信部３０１に、一方向にシリアル伝送する。
【００４０】
さらに、トランスミッタ８１は、３つのＴＭＤＳチャネル＃０，＃１，＃２で送信する画素データに同期したピクセルクロックを、ＴＭＤＳクロックチャネルで、ＨＤＭＩケーブル４００を介して接続されているＨＤＭＩ受信部３０１に送信する。ここで、１つのＴＭＤＳチャネル＃ｉ（ｉ＝０，１，２）では、ピクセルクロックの１クロックの間に、１０ビットの画素データが送信される。
【００４１】
ＨＤＭＩ受信部３０１は、アクティブビデオ区間において、複数のチャネルで、ＨＤＭＩ送信部２０１から一方向に送信されてくる、画素データに対応する差動信号を受信する。また、このＨＤＭＩ受信部３０１は、水平帰線区間または垂直帰線区間において、複数のチャネルで、ＨＤＭＩ送信部２０１から一方向に送信されてくる、音声データや制御データに対応する差動信号を受信する。
【００４２】
すなわち、ＨＤＭＩ受信部３０１は、ＨＤＭＩレシーバ８２を有する。このＨＤＭＩレシーバ８２は、ＴＭＤＳチャネル＃０，＃１，＃２で、ＨＤＭＩ送信部２０１から一方向に送信されてくる、画素データに対応する差動信号と、音声データや制御データに対応する差動信号を受信する。この場合、ＨＤＭＩ送信部２０１からＴＭＤＳクロックチャネルで送信されてくるピクセルクロックに同期して受信する。
【００４３】
ＨＤＭＩシステムの伝送チャネルには、上述のＴＭＤＳチャネル＃０乃至＃２およびＴＭＤＳクロックチャネルの他に、ＤＤＣ（Display Data Channel）８３やＣＥＣライン８４と呼ばれる伝送チャネルがある。ＤＤＣ８３は、ＨＤＭＩケーブル４００に含まれる図示しない２本の信号線からなる。ＤＤＣ８３は、ＨＤＭＩ送信部２０１が、ＨＤＭＩ受信部３０１から、Ｅ−ＥＤＩＤ（Enhanced Extended Display Identification Data）を読み出すために使用される。
【００４４】
ＨＤＭＩ受信部３０１は、ＨＤＭＩレシーバ８２の他に、自身の性能（Configuration/capability）に関する性能情報であるＥ−ＥＤＩＤを記憶している、ＥＤＩＤ  ＲＯＭ（Read Only Memory）８５を有している。ＨＤＭＩ送信部２０１は、例えば、ＣＰＵからの要求に応じて、ＨＤＭＩケーブル４００を介して接続されているＨＤＭＩ受信部３０１から、Ｅ−ＥＤＩＤを、ＤＤＣ８３を介して読み出す。ＨＤＭＩ送信部２０１は、読み出したＥ−ＥＤＩＤをＣＰＵに送る。ＣＰＵは、このＥ−ＥＤＩＤを、フラッシュＲＯＭあるいはＤＲＡＭに格納する。
【００４５】
ＣＥＣライン８４は、ＨＤＭＩケーブル４００に含まれる図示しない１本の信号線からなり、ＨＤＭＩ送信部２０１とＨＤＭＩ受信部３０１との間で、制御用のデータの双方向通信を行うために用いられる。このＣＥＣライン８４は、制御データラインを構成している。この実施の形態において、テレビ受信機３００からディスクレコーダ２００には、このＣＥＣライン８４を介して、表示処理情報が送信される。
【００４６】
また、ＨＤＭＩケーブル４００には、ＨＰＤ（Hot Plug Detect）と呼ばれるピンに接続されるＨＰＤライン８６が含まれている。ソース機器は、このＨＰＤライン８６を利用して、シンク機器の接続を検出することができる。なお、このＨＰＤライン８６は双方向通信路を構成するＨＥＡＣ−ラインとしても使用される。
【００４７】
また、ＨＤＭＩケーブル４００には、ソース機器からシンク機器に電源を供給するために用いられる電源ライン８７が含まれている。さらに、ＨＤＭＩケーブル４００には、ユーティリティライン８８が含まれている。このユーティリティライン８８は双方向通信路を構成するＨＥＡＣ＋ラインとしても使用される。
【００４８】
［放送局の説明］
放送局１００は、ビットストリームデータ（トランスポートストリーム）を放送波にのせて送信する。このビットストリームデータには、画像データが含まれ、さらにその画像データに対応した音声データ等も含まれる。この画像データは、例えば、二次元画像データ、あるいはこの二次元画像データと互換性のあるサイドバイサイド方式、トップアンドボトム方式等の立体（三次元）画像データである。
【００４９】
［ディスクレコーダの説明］
ディスクレコーダ２００は、放送局１００から放送波にのせて送信されてくるビットストリームデータを受信する。このビットストリームデータには、画像データ、さらにはその画像データに対応した音声データが含まれている。ディスクレコーダ２００は、このビットストリームデータをＤＶＤ（Digital Versatile Disc）、あるいはＢＤ（Blu-ray Disc）等のディスク状記録媒体に記録し、適宜なタイミングで再生する。
【００５０】
ディスクレコーダ２００は、再生されたビットストリームデータに対してデコード処理を行って画像データおよび音声データを抽出し、これら画像データおよび音声データを、ＨＤＭＩケーブル４００を介してテレビ受信機３００に送信する。また、ディスクレコーダ２００は、テレビ受信機３００において画像上にメニュー等を重畳表示する際に、そのＯＳＤ表示データを発生し、画像データに重畳する。
【００５１】
ディスクレコーダ２００は、テレビ受信機３００から、上述したようにＨＤＭＩケーブル４００のＣＥＣライン８４を介して、表示処理情報を受信する。ディスクレコーダ２００は、この表示処理情報に基づいて、ＯＳＤ表示データの出力形式を、テレビ受信機３００における表示処理に対応した出力形式とする。
【００５２】
例えば、テレビ受信機３００の表示処理が２次元画像データの表示処理（２Ｄ表示処理）である場合に、ＯＳＤ表示データの出力形式を２次元画像データに対応した出力形式とする。また、テレビ受信機３００の表示処理がサイドバイサイド方式の立体画像データの表示処理（３ＤＳＢＳ表示処理）である場合に、ＯＳＤ表示データの出力形式をサイドバイサイド方式の立体画像データに対応した出力形式とする。また、テレビ受信機３００の表示処理がトップアンドボトム方式の立体画像データの表示処理（３ＤＴ＆Ｂ表示処理）である場合に、ＯＳＤ表示データの出力形式をトップアンドボトム方式の立体画像データに対応した出力形式とする。
【００５３】
図３は、ディスクレコーダ２００の構成例を示している。このディスクレコーダ２００は、ＨＤＭＩ送信部２０１と、ＨＤＭＩ端子２０２と、アンテナ端子２０３と、デジタルチューナ２０４と、記録部インタフェース（Ｉ／Ｆ）２０５と、ＤＶＤ／ＢＤドライブ２０６を有している。また、このディスクレコーダ２００は、デマルチプレクサ２０７と、ビデオデコーダ２０８と、表示データ重畳部２０９と、ＯＳＤ表示データ発生部２１０と、オーディオデコーダ２１１を有している。さらに、このディスクレコーダ２００は、ＣＰＵ２２１と、フラッシュＲＯＭ２２２と、ＤＲＡＭ２２３と、内部バス２２４と、リモコン受信部２２５と、リモコン送信機２２６を有している。
【００５４】
ＣＰＵ２２１は、ディスクレコーダ２００の各部の動作を制御する。フラッシュＲＯＭ２２２は、制御ソフトウェアの格納およびデータの保管を行う。ＤＲＡＭ２２３は、ＣＰＵ２２１のワークエリアを構成する。ＣＰＵ２２１は、フラッシュＲＯＭ２２２から読み出したソフトウェアやデータをＤＲＡＭ２２３上に展開してソフトウェアを起動させ、ディスクレコーダ２００の各部を制御する。
【００５５】
リモコン受信部２２５は、リモコン送信機２２６から送信されたリモーコントロール信号（リモコンコード）を受信し、ＣＰＵ２２１に供給する。ＣＰＵ２２１は、このリモコンコードに基づいて、ディスクレコーダ２００の各部を制御する。ＣＰＵ２２１、フラッシュＲＯＭ２２２およびＤＲＡＭ２２３は内部バス２２４に接続されている。
【００５６】
アンテナ端子２０３は、受信アンテナ（図示せず）で受信されたテレビ放送信号を入力する端子である。デジタルチューナ２０４は、アンテナ端子２０３に入力されたテレビ放送信号を処理して、ユーザの選択チャネルに対応した所定のビットストリームデータを出力する。
【００５７】
記録部インタフェース２０５は、ＤＶＤ／ＢＤドライブ２０６との間の記録時および再生時におけるデータのインタフェースを行う。ＤＶＤ／ＢＤドライブ２０６は、ＤＶＤあるいはＢＤ等のディスク状記録媒体に、デジタルチューナ２０４から出力されたビットストリームデータを記録し、また、このディスク状記録媒体からこのビットストリームデータを適宜なタイミングで再生する。
【００５８】
デマルチプレクサ２０７は、ＤＶＤ／ＢＤドライブ２０６で再生され、記録部インタフェース２０５から出力されたビットストリームデータから、ビデオおよびオーディオのデータストリームを抽出する。ビデオデコーダ２０８は、デマルチプレクサ２０７で抽出されたビデオデータストリームに含まれる符号化画像データに対して復号化処理を行って、復号化された画像データを得る。この画像データは、二次元画像データ、あるいはこの二次元画像データと互換性のあるサイドバイサイド方式、トップアンドボトム方式等の立体（三次元）画像データである。
【００５９】
ＯＳＤ表示データ発生部２１０は、テレビ受信機３００において画像上にメニュー等を重畳表示する際に、そのＯＳＤ表示データを発生する。ＣＰＵ２２１は、テレビ受信機３００から、ＨＤＭＩケーブル４００のＣＥＣライン８４を介して、表示処理情報を受信する。ＣＰＵ２２１は、この表示処理情報に基づいてＯＳＤ表示データ発生部２１０を制御し、ＯＳＤ表示データの出力形式を、テレビ受信機３００における表示処理に対応した出力形式とする。
【００６０】
例えば、テレビ受信機３００の表示処理が２次元画像データの表示処理（２Ｄ表示処理）である場合に、ＯＳＤ表示データの出力形式を２次元画像データに対応した出力形式とする（図１０（ｂ）参照）。また、テレビ受信機３００の表示処理がサイドバイサイド方式の立体画像データの表示処理（３ＤＳＢＳ表示処理）である場合に、ＯＳＤ表示データの出力形式をサイドバイサイド方式の立体画像データに対応した出力形式とする（図１１（ｂ）参照）。また、テレビ受信機３００の表示処理がトップアンドボトム方式の立体画像データの表示処理（３ＤＴ＆Ｂ表示処理）である場合に、ＯＳＤ表示データの出力形式をトップアンドボトム方式の立体画像データに対応した出力形式とする（図１３（ｂ）参照）。
【００６１】
図４のフローチャートは、ＣＰＵ２２１におけるＯＳＤ表示データの出力形式の制御処理の一例を示している。まず、ＣＰＵ２２１は、ステップＳＴ１において、処理を開始し、その後に、ステップＳＴ２の処理に移る。このステップＳＴ２において、ＣＰＵ２２１は、ＯＳＤ表示データの出力形式を２次元画像データに対応した出力形式とする。
【００６２】
次に、ＣＰＵ２２１は、ステップＳＴ３において、表示状態通知があるか否か、すなわちテレビ受信機３００から表示処理情報を受信したか否かを判断する。表示状態通知があるとき、ＣＰＵ２２１は、ステップＳＴ４において、表示状態（表示処理）に出力形式が対応しているか否かを判断する。表示状態に出力形式が対応していないとき、ＣＰＵ２２１は、ステップＳＴ５において、出力形式を、表示状態に対応するように切り替える。
【００６３】
ＣＰＵ２２１は、ステップＳＴ５の処理の後に、ステップＳＴ３の処理に戻る。また、ＣＰＵ２２１は、ステップＳＴ３で表示状態通知がないとき、あるいはステップＳＴ４で表示状態に出力形式が対応しているとき、直ちに、ステップＳＴ３の処理に戻って、上述したと同様の処理を行う。
【００６４】
図３に戻って、表示データ重畳部２０９は、ビデオデコーダ２０８で得られた画像データにＯＳＤ表示データ発生部２１０で発生された表示データを重畳して出力画像データを得る。この表示データ重畳部２０９は、データ合成部を構成している。オーディオデコーダ２１１は、デマルチプレクサ２０３で抽出されたオーディオデータストリームに含まれる符号化音声データに対して復号化処理を行って、復号化された音声データを得る。
【００６５】
ＨＤＭＩ送信部２０１は、ＨＤＭＩに準拠した通信により（図２参照）、ベースバンドの立体画像データおよび音声のデータを、ＨＤＭＩ端子２０２から送出する。ＨＤＭＩ送信部２０１は、ＨＤＭＩのＴＭＤＳチャネルで送信するため、画像および音声のデータをパッキングして、ＨＤＭＩ端子２０２に出力する。
【００６６】
ディスクレコーダ２００の動作を簡単に説明する。アンテナ端子２０３に入力されたテレビ放送信号はデジタルチューナ２０４に供給される。このデジタルチューナ２０４では、テレビ放送信号が処理されて、ユーザの選択チャネルに対応した所定のビットストリームデータが出力される。このビットストリームデータは、記録部インタフェース２０５からＤＶＤ／ＢＤドライブ２０６に供給され、ＤＶＤあるいはＢＤ等のディスク状記録媒体に記録される。
【００６７】
また、ＤＶＤ／ＢＤドライブ２０６でＤＶＤあるいはＢＤ等のディスク状記録媒体から再生されたビットストリームデータは記録部インタフェース２０５を介してデマルチプレクサ２０７に供給される。このデマルチプレクサ２０７では、ビットストリームデータから、ビデオおよびオーディオのデータストリームが抽出される。
【００６８】
デマルチプレクサ２０７で抽出されたビデオデータストリームはビデオデコーダ２０８に供給される。このビデオデコーダ２０８では、ビデオデータストリームに含まれる符号化画像データに対して復号化処理が行われて、復号化された画像データ（二次元画像データ、あるいはサイドバイサイド方式、トップアンドボトム方式等の立体画像データ）が得られる。この画像データは、表示データ重畳部２０９を介してＨＤＭＩ送信部２０１に供給される。
【００６９】
ＯＳＤ表示データ発生部２１０では、テレビ受信機３００において画像上にメニュー等を重畳表示する際に、ＯＳＤ表示データが発生される。このＯＳＤ表示データの出力形式は、テレビ受信機３００から送信されてくる表示処理情報に基づき、テレビ受信機３００における表示処理に対応した出力形式とされる。このＯＳＤ表示データは、表示データ重畳部２０９に供給されて、画像データに重畳される。
【００７０】
また、デマルチプレクサ２０７で抽出されたオーディオデータストリームはオーディオデコーダ２１１に供給される。このオーディオデコーダ２１１では、オーディオデータストリームに含まれる符号化音声データに対して復号化処理が行われて、復号化された音声データが得られる。この音声データは、ＨＤＭＩ送信部２０１に供給される。ＨＤＭＩ送信部２０１では、立体画像データおよび音声データがパッキングされ、ＨＤＭＩ端子２０２からＨＤＭＩケーブル４００に送出される。
【００７１】
［テレビ受信機の説明］
図１に戻って、テレビ受信機３００は、セットトップボックス２００からＨＤＭＩケーブル４００を介して送られてくる画像および音声のデータを受信する。テレビ受信機３００は、画像データに対して表示処理を行って表示画像データを得る。テレビ受信機３００は、画像データの方式を検出し、その方式に対応した表示処理を行う。また、テレビ受信機３００は、表示処理情報を、上述したようにＨＤＭＩケーブル４００のＣＥＣライン８４を介して、ディスクレコーダ２００に送信する。
【００７２】
図５は、テレビ受信機３００の構成例を示している。このテレビ受信機３００は、ＨＤＭＩ受信部３０１と、ＨＤＭＩ端子３０２と、アンテナ端子３０３と、デジタルチューナ３０４と、ビットストリーム処理部３０５を有している。また、このテレビ受信機３００は、３Ｄ信号処理部３０６と、映像処理回路３０７と、パネル駆動回路３０８と、表示パネル３０９と、音声処理回路３１０と、音声増幅回路３１１と、スピーカ３１２を有している。また、このテレビ受信機３００は、ＣＰＵ３２１と、フラッシュＲＯＭ３２２と、ＤＲＡＭ３２３と、内部バス３２４と、リモコン受信部３２５と、リモコン送信機３２６を有している。
【００７３】
ＣＰＵ３２１は、テレビ受信機３００の各部の動作を制御する。フラッシュＲＯＭ３２２は、制御ソフトウェアの格納およびデータの保管を行う。ＤＲＡＭ３２３は、ＣＰＵ３２１のワークエリアを構成する。ＣＰＵ３２１は、フラッシュＲＯＭ３２２から読み出したソフトウェアやデータをＤＲＡＭ３２３上に展開してソフトウェアを起動させ、テレビ受信機３００の各部を制御する。
【００７４】
リモコン受信部３２５は、リモコン送信機３２６から送信されたリモートコントロール信号（リモコンコード）を受信し、ＣＰＵ３２１に供給する。ＣＰＵ３２１は、このリモコンコードに基づいて、テレビ受信機３００の各部を制御する。ＣＰＵ３２１、フラッシュＲＯＭ３２２およびＤＲＡＭ３２３は、内部バス３２４に接続されている。
【００７５】
アンテナ端子３０３は、受信アンテナ（図示せず）で受信されたテレビ放送信号を入力する端子である。デジタルチューナ３０４は、アンテナ端子３０３に入力されたテレビ放送信号を処理して、ユーザの選択チャネルに対応した所定のビットストリームデータを出力する。
【００７６】
ビットストリーム処理部３０５は、図３に示すディスクレコーダ２００のデマルチプレクサ２０７、ビデオデコーダ２０８およびオーディオデコーダ２１１の部分と同様の構成とされている。このビットストリーム処理部３０５は、ビットストリームデータから画像データおよび音声データを抽出して出力する。ＨＤＭＩ受信部３０１は、ＨＤＭＩに準拠した通信により、ＨＤＭＩケーブル４００を介してＨＤＭＩ端子３０２に供給される画像データおよび音声データを受信する。
【００７７】
３Ｄ信号処理部３０６は、ＨＤＭＩ受信部３０１で受信された、あるいはビットストリーム処理部３０５で得られた画像データに対して、表示処理（デコード処理）を行って、表示画像データを生成する。ＣＰＵ３２１は、３Ｄ信号処理部３０６で処理すべき画像データの方式を検出する。すなわち、ＣＰＵ３２１は、画像データが二次元画像データであるか、立体（三次元）画像データであるかを検出し、さらに立体画像データであるときはその伝送方式も検出する。ＣＰＵ３２１は、この検出結果に基づいて、３Ｄ信号処理部３０６を制御し、３Ｄ信号処理部３０６において、画像データの方式に対応した表示処理が行われるようにする。ここでは、ＣＰＵ３２１は、方式検出部を構成している。
【００７８】
例えば、ＣＰＵ３２１は、画像データの方式の検出を、その画像データに識別子が付加されている場合には、その識別子を利用して行うことができる。また、例えば、ＣＰＵ３２１は、画像データの方式の検出を、画像データを処理して行うことができる。例えば、ＣＰＵ３２１は、水平方向の左側と右側の画像データの相関を検出し、相関が高いときは、サイドバイサイド方式の画像データであると検出する。また、例えば、ＣＰＵ３２１は、垂直方向の上側と下側の画像データの相関を検出し、相関が高いときは、トップアンドボトム方式の画像データであると検出する。そして、ＣＰＵ３２１は、サイドバイサイド方式の画像データでもなく、トップアンドボトム方式の画像データでもないとき、二次元画像データであると検出する。
【００７９】
３Ｄ信号処理部３０６は、画像データが２次元画像データであるとき、この２次元画像データの表示処理（２Ｄ表示処理）を行う。この場合、３Ｄ信号処理部３０６は、ＨＤＭＩ受信部３０１で受信された、あるいはビットストリーム処理部３０５で得られた画像データを、そのまま表示画像データとして出力する。
【００８０】
また、３Ｄ信号処理部３０６は、画像データがサイドバイサイド方式の立体画像データであるとき、この立体画像データの表示処理（３ＤＳＢＳ表示処理）を行う。この場合、３Ｄ信号処理部３０６は、その立体画像データを水平方向に半分ずつ切り出し、それぞれに対して水平方向に２倍のスケーリングを施して、左眼画像データおよび右眼画像データを生成し、表示画像データとして出力する。
【００８１】
また、３Ｄ信号処理部３０６は、画像データがトップアンドボトム方式の立体画像データであるとき、この立体画像データの表示処理（３ＤＴ＆Ｂ表示処理）を行う。この場合、３Ｄ信号処理部３０６は、その立体画像データを垂直方向に半分ずつ切り出し、それぞれに対して垂直方向に２倍のスケーリングを施して、左眼画像データおよび右眼画像データを生成し、表示画像データとして出力する。
【００８２】
ＣＰＵ３２１は、ＨＤＭＩのＣＥＣライン８４を介して、ディスクレコーダ２００に、表示状態通知、つまり３Ｄ信号処理部３０６における表示処理情報を送信する。ここで、表示処理情報は、３Ｄ信号処理部３０６で、上述の２Ｄ表示処理、３ＤＳＢＳ表示処理、３ＤＴ＆Ｂ表示処理のいずれを行っているかという情報である。
【００８３】
図６のフローチャートは、ＣＰＵ３２１における画像データの方式検出処理、３Ｄ信号処理部３０６の制御処理、ディスクレコーダ２００への表示状態通知処理の一例を示している。まず、ＣＰＵ３２１は、ステップＳＴ１１において、処理を開始し、その後に、ステップＳＴ１２の処理に移る。このステップＳＴ１２において、ＣＰＵ３２１は、３Ｄ信号処理部３０６が２Ｄ表示処理を行うように制御する。そして、ＣＰＵ３２１は、ステップＳＴ１３において、ディスクレコーダ２００に表示状態を通知する。すなわち、ＣＰＵ３２１は、ステップＳＴ１３において、２Ｄ表示処理を行っていることを示す情報を、ＨＤＭＩのＣＥＣライン８４を介して、ディスクレコーダ２００に送信する。
【００８４】
次に、ＣＰＵ３２１は、ステップＳＴ１４において、画像データの方式を検出する。そして、ＣＰＵ３２１は、ステップＳＴ１５において、現在の表示処理が検出方式に対応しているか否かを判断する。例えば、ＣＰＵ３２１は、検出方式が二次元画像データであり、現在の表示処理が２Ｄ表示処理であるときには、対応していると判断する。また、例えば、ＣＰＵ３２１は、検出方式がサイドバイサイド方式の立体画像データであり、現在の表示処理が３ＤＳＢＳ表示処理であるときには、対応していると判断する。また、例えば、ＣＰＵ３２１は、検出方式がトップアンドボトム方式の立体画像データであり、現在の表示処理が３ＤＴ＆Ｂ表示処理であるときには、対応していると判断する。
【００８５】
ステップＳＴ１５で対応していると判断するとき、ＣＰＵ３２１は、ステップＳＴ１４の処理に戻る。一方、ステップＳＴ１５で対応していないと判断するとき、ＣＰＵ３２１は、ステップＳＴ１６において、検出方式に対応するように、３Ｄ信号処理部３０６における表示処理を切り替える。そして、ＣＰＵ３２１は、ステップＳＴ１７において、ディスクレコーダ２００に切り替え後の表示状態を通知する。すなわち、ＣＰＵ３２１は、ステップＳＴ１７において、切り替え後の表示処理を示す情報を、ＨＤＭＩのＣＥＣライン８４を介して、ディスクレコーダ２００に送信する。ＣＰＵ３２１は、ステップＳＴ１７の処理の後、ステップＳＴ１４の処理に戻る。
【００８６】
図５に戻って、映像処理回路３０７は、３Ｄ信号処理部３０６から出力される画像データに対して、必要に応じて、画質調整処理を行う。パネル駆動回路３０８は、映像処理回路３０７から出力される画像データに基づいて、表示パネル３０９を駆動する。表示パネル３０９は、例えば、ＬＣＤ（Liquid Crystal Display）、ＰＤＰ（Plasma DisplayPanel）等で構成されている。
【００８７】
音声処理回路３１０は、ＨＤＭＩ受信部３０１で受信された、あるいはビットストリーム処理部３０６で得られた音声データに対してＤ／Ａ変換等の必要な処理を行う。音声増幅回路３１１は、音声処理回路３１０から出力される音声信号を増幅してスピーカ３１２に供給する。
【００８８】
図５に示すテレビ受信機３００の動作を簡単に説明する。ＨＤＭＩ受信部３０１では、ＨＤＭＩ端子３０２にＨＤＭＩケーブル４００を介して接続されているディスクレコーダ２００から送信されてくる画像データおよび音声データが受信される。このＨＤＭＩ受信部３０１で受信された画像データは、３Ｄ信号処理部３０６に供給される。また、このＨＤＭＩ受信部３０１で受信された音声データは音声処理回路３１０に供給される。
【００８９】
また、アンテナ端子３０３に入力されたテレビ放送信号はデジタルチューナ３０４に供給される。このデジタルチューナ３０４では、テレビ放送信号が処理されて、ユーザの選択チャネルに対応した所定のビットストリームデータが出力される。
【００９０】
デジタルチューナ３０４から出力されるビットストリームデータは、ビットストリーム処理部３０５に供給される。このビットストリーム処理部３０５では、ビットストリームデータから画像データおよび音声データが抽出される。ビットストリーム処理部３０５で抽出された画像データは、３Ｄ信号処理部３０６に供給される。また、このビットストリーム処理部３０５で抽出された音声データは、音声処理回路３１０に供給される。
【００９１】
３Ｄ信号処理部３０６では、ＨＤＭＩ受信部３０１で受信された、あるいはビットストリーム処理部３０５で抽出された画像データに対して、その画像データの方式に対応した表示処理が行われて、表示画像データが生成される。例えば、画像データが２次元画像データであるとき、２Ｄ表示処理が行われる。また、例えば、画像データがサイドバイサイド方式の立体画像データであるとき、３ＤＳＢＳ表示処理が行われる。また、例えば、画像データがトップアンドボトム方式の立体画像データであるとき、３ＤＴ＆Ｂ表示処理が行われる。
【００９２】
ここで、２Ｄ表示処理では、ＨＤＭＩ受信部３０１で受信された、あるいはビットストリーム処理部３０５で得られた画像データが、そのまま表示画像データとして出力される。また、３ＤＳＢＳ表示処理では、立体画像データが水平方向に半分ずつ切り出され、それぞれに対して水平方向に２倍のスケーリングが施されて、左眼画像データおよび右眼画像データが生成され、表示画像データとして出力される。また、３ＤＴ＆Ｂ表示処理では、立体画像データが垂直方向に半分ずつ切り出され、それぞれに対して垂直方向に２倍のスケーリングが施されて、左眼画像データおよび右眼画像データが生成され、表示画像データとして出力される。
【００９３】
この場合、ＣＰＵ３２１により、画像データの方式が検出される。そして、このＣＰＵ３２１により、３Ｄ信号処理部３０６の表示処理が、画像データの方式に対応するように切り替え制御される。そして、この場合、ＣＰＵ３２１により、ＨＤＭＩのＣＥＣライン８４を介して、ディスクレコーダ２００に、表示状態通知、つまり３Ｄ信号処理部３０６における表示処理情報が送信される。これにより、ディスクレコーダ２００では、上述したように、この表示処理情報に基づいて、ＯＳＤ表示データの出力形式を、画像データの方式に対応させることが可能となる。
【００９４】
また、３Ｄ信号処理部３０６から出力される画像データは、映像処理回路３０７に供給される。映像処理回路３０７では、必要に応じて、画質調整処理が行われる。また、この映像処理回路３０７では、３Ｄ信号処理部３０６から出力される画像データが左眼画像データおよび右眼画像データであるとき、立体画像を表示するための所定の形式の画像データに変換される。
【００９５】
この映像処理回路３０７で得られる画像データはパネル駆動回路３０８に供給される。そのため、表示パネル３０９により二次元画像、あるいは立体（三次元）画像が表示される。例えば、立体画像表示の場合、表示パネル３０９に、左眼画像データによる左眼画像および右眼画像データによる右眼画像が交互に時分割的に表示される。視聴者は、表示パネル３０９の表示に同期して左眼シャッタおよび右眼シャッタが交互に開くシャッタメガネを装着することで、左眼では左眼画像のみを見ることができ、右眼では右眼画像のみを見ることができ、立体画像を知覚できる。
【００９６】
また、音声処理回路３１０では、ＨＤＭＩ受信部３０１で受信された、あるいはビットストリーム処理部３０５で抽出された音声データに対してＤ／Ａ変換等の必要な処理が施される。この音声データは、音声増幅回路３１１で増幅された後に、スピーカ３１２に供給される。そのため、スピーカ３１２から表示パネル３０９の表示画像に対応した音声が出力される。
【００９７】
図７は、ディスクレコーダ２００とテレビ受信機３００の動作シーケンスの一例を示している。（１）テレビ受信機３００では、最初、２Ｄ表示処理がされ、（２）ディスクレコーダ２００に表示状態が２Ｄにあることが通知される、つまり、２Ｄ表示処理を行っていることを示す情報が送信される。（３）ディスクレコーダ２００では、最初、ＯＳＤ表示データの出力形式が二次元画像データに対応したものとされる。（４）ディスクレコーダ２００では、テレビ受信機３００から２Ｄ表示状態にあるとの通知を受け取ったとき、ＯＳＤ表示データの出力形式がそれに対応しているため、出力形式の切り替えは行われない。
【００９８】
（５）その後、テレビ受信機３００では、画像データがサイドバイサイド方式の立体画像データであることが検出されるとき、（６）３ＤＳＢＳ表示処理に切り替えられる。（７）そして、テレビ受信機３００では、ディスクレコーダ２００に表示状態が３ＤＳＢＳにあることが通知される、つまり、３ＤＳＢＳ表示処理を行っていることを示す情報が送信される。（８）ディスクレコーダ２００では、テレビ受信機３００から３ＤＳＢＳ表示状態にあるとの通知を受け取ったとき、ＯＳＤ表示データの出力形式がそれに対応していないため、サイドバイサイド方式の立体画像データに対応した出力形式に切り替えられる。
【００９９】
（９）その後、テレビ受信機３００では、画像データがトップアンドボトム方式の立体画像データであることを検出するとき、（１０）３ＤＴ＆Ｂ表示処理に切り替えられる。（１１）そして、テレビ受信機３００では、ディスクレコーダ２００に表示状態が３ＤＴ＆Ｂにあることが通知される、つまり、３ＤＴ＆Ｂ表示処理を行っていることを示す情報が送信される。（１２）ディスクレコーダ２００では、テレビ受信機３００から３ＤＴ＆Ｂ表示状態にあるとの通知を受け取ったとき、ＯＳＤ表示データの出力形式がそれに対応していないため、トップアンドボトム方式の立体画像データに対応した出力形式に切り替えられる。
【０１００】
上述したように、図１に示す画像データ送受信システム１０において、テレビ受信機３００では、画像データの方式（２Ｄ、３ＤＳＢＳ、３ＤＴ＆Ｂ）が検出され、画像データに対して、その方式に対応した表示処理が行われる。そして、テレビ受信機３００からディスクレコーダ２００に、ＨＤＭＩのＣＥＣライン８４を介して、表示処理情報が送信される。
【０１０１】
また、この画像データ送受信システム１０において、ディスクレコーダ２００では、テレビ受信機３００から、ＨＤＭＩのＣＥＣライン８４を介して、表示処理情報が受信される。そして、このディスクレコーダ２００では、テレビ受信機３００に送信される画像データに重畳されるＯＳＤ表示データの出力形式が、表示処理情報に基づいて、画像データの方式に対応したものとされる。したがって、テレビ受信機３００において、画像データの方式によらず、画像上にメニュー等の重畳情報を正しく表示させることができる。
【０１０２】
＜２．変形例＞
なお、上述実施の形態において、テレビ受信機３００の３Ｄ信号処理部３０６における表示処理は、ＣＰＵ３２１の画像データの方式検出結果に基づいて、自動的に行われるものを示した。しかし、このテレビ受信機３００の３Ｄ信号処理部３０６における表示処理の切り替えを、ユーザ操作に基づいて行うことも考えられる。
【０１０３】
ユーザは、３Ｄ信号処理部３０６における表示処理が２Ｄ表示処理である場合に、表示パネル３０９に表示される画像を観察することで、画像データの方式を把握できる。すなわち、画像データが二次元画像データである場合、表示パネル３０９の画面に１つの画像が表示される。これに対して、画像データがサイドバイサイド方式の立体（三次元）画像データである場合、表示パネル３０９の画面に水平方向に左眼画像および右眼画像が並んで表示される。また、画像データがトップアンドボトム方式の立体（三次元）画像データである場合、表示パネル３０９の画面に垂直方向に左眼画像および右眼画像が並んで表示される。
【０１０４】
図８のフローチャートは、ユーザ操作によって表示処理の切り替えが行われる場合の、ＣＰＵ３２１における３Ｄ信号処理部３０６の制御処理、ディスクレコーダ２００への表示状態通知処理の一例を示している。
【０１０５】
まず、ＣＰＵ３２１は、ステップＳＴ２１において、処理を開始し、その後に、ステップＳＴ２２の処理に移る。このステップＳＴ２２において、ＣＰＵ３２１は、３Ｄ信号処理部３０６が２Ｄ表示処理を行うように制御する。そして、ＣＰＵ３２１は、ステップＳＴ２３において、ディスクレコーダ２００に表示状態を通知する。すなわち、ＣＰＵ３２１は、ステップＳＴ２３において、２Ｄ表示処理を行っていることを示す情報を、ＨＤＭＩのＣＥＣライン８４を介して、ディスクレコーダ２００に送信する。
【０１０６】
次に、ＣＰＵ３２１は、ステップＳＴ２４において、表示処理の切り替え操作があるか否かを判断する。表示処理の切り替え操作があるとき、ＣＰＵ３２１は、ステップＳＴ２５において、３Ｄ信号処理部３０６における表示処理を、切り替え操作で指示された表示処理に切り替える。そして、ＣＰＵ３２１は、ステップＳＴ２６において、ディスクレコーダ２００に切り替え後の表示状態を通知する。すなわち、ＣＰＵ３２１は、ステップＳＴ２６において、切り替え後の表示処理を示す情報を、ＨＤＭＩのＣＥＣライン８４を介して、ディスクレコーダ２００に送信する。ＣＰＵ３２１は、ステップＳＴ２６の処理の後、ステップＳＴ２４の処理に戻る。
【０１０７】
図９は、上述したようにユーザ操作によって表示処理の切り替えが行われる場合における、ディスクレコーダ２００とテレビ受信機３００の動作シーケンスの一例を示している。
（１）テレビ受信機３００では、最初、２Ｄ表示処理がされ、（２）ディスクレコーダ２００に表示状態が２Ｄにあることが通知される、つまり、２Ｄ表示処理を行っていることを示す情報が送信される。（３）ディスクレコーダ２００では、最初、ＯＳＤ表示データの出力形式が二次元画像データに対応したものとされる。（４）ディスクレコーダ２００では、テレビ受信機３００から２Ｄ表示状態にあるとの通知を受け取ったとき、ＯＳＤ表示データの出力形式がそれに対応しているため、出力形式の切り替えは行われない。
【０１０８】
（５）その後、テレビ受信機３００では、ユーザ操作により表示処理を３ＤＳＢＳ表示処理に切り替えることが指示されるとき、（６）３ＤＳＢＳ表示処理に切り替えられる。（７）そして、テレビ受信機３００では、ディスクレコーダ２００に表示状態が３ＤＳＢＳにあることが通知される、つまり、３ＤＳＢＳ表示処理を行っていることを示す情報が送信される。（８）ディスクレコーダ２００では、テレビ受信機３００から３ＤＳＢＳ表示状態にあるとの通知を受け取ったとき、ＯＳＤ表示データの出力形式がそれに対応していないため、サイドバイサイド方式の立体画像データに対応した出力形式に切り替えられる。
【０１０９】
（９）その後、テレビ受信機３００では、ユーザ操作により表示処理を３ＤＴ＆Ｂ表示処理に切り替えることが指示されるとき、（１０）３ＤＴ＆Ｂ表示処理に切り替えられる。（１１）そして、テレビ受信機３００では、ディスクレコーダ２００に表示状態が３ＤＴ＆Ｂにあることが通知される、つまり、３ＤＴ＆Ｂ表示処理を行っていることを示す情報が送信される。（１２）ディスクレコーダ２００では、テレビ受信機３００から３ＤＴ＆Ｂ表示状態にあるとの通知を受け取ったとき、ＯＳＤ表示データの出力形式がそれに対応していないため、トップアンドボトム方式の立体画像データに対応した出力形式に切り替えられる。
【０１１０】
また、上記実施の形態において、ディスクレコーダ２００のＯＳＤ表示データ発生部２１０は、テレビ受信機３００から通知される全ての表示処理に対応した出力形式でＯＳＤ表示データを発生できるものとして説明した。しかし、ディスクレコーダ２００のＯＳＤ表示データ発生部２１０が、テレビ受信機３００かる通知された表示処理に対応した出力形式でＯＳＤ表示データを発生できない場合も考えられる。
【０１１１】
ＯＳＤ表示データ発生部２１０が、テレビ受信機３００から通知された表示処理に対応した出力形式でＯＳＤ表示データを発生できないとき、ＣＰＵ２１１は、ＯＳＤ表示データ発生部２１０を以下のように動作させることが考えられる。例えば、ＯＳＤ表示データを出力しないように動作させる。また、例えば、出力形式を切り替えないで現在の出力形式のままとして、ＯＳＤ表示データの発生を続けさせる。また、例えば、出力形式を切り替えないで現在の出力形式のままとして、一部の特殊なＯＳＤ表示（表示処理不適切の警告など）のＯＳＤ表示データのみの出力を行わせる。
【０１１２】
また、上述実施の形態においては、ディスクレコーダ２００からテレビ受信機３００にＨＤＭＩケーブル４００を介して画像データを送信する構成となっている。つまり、デジタルチューナ２０４で受信された画像データをＤＶＤ／ＢＤドライブ２０６でＤＶＤあるいはＢＤ等のディスク状記録媒体に記録し、適宜なタイミングで再生して、テレビ受信機３００に送信する構成である。ディスクレコーダ２００の代わりに、セットトップボックスを配置する構成も同様に考えられる。この場合、デジタルチューナで受信された画像データを、ディスク状記録媒体等への記録再生を経ることなく、テレビ受信機３００に送信する構成となる。
【０１１３】
また、上述実施の形態においては、ディスクレコーダ２００のＯＳＤ表示データ発生部２１０で、画像上にメニュー等の重畳情報を表示するためのＯＳＤ表示データが発生され、このＯＳＤ表示データが表示データ重畳部２０９で画像データに重畳される。重畳情報としては、その他に、字幕なども考えられる。その場合、例えば、画像データと共に放送局から送られてくる字幕データに基づいて、画像上に字幕を表示するための表示データが発生され、この表示データが画像データに重畳されることになる。
【０１１４】
また、上述実施の形態においては、テレビ受信機３００からディスクレコーダ２００に表示処理情報を送信する際に、ＨＤＭＩケーブル４００のＣＥＣライン８４を用いて行っている。しかし、テレビ受信機３００からディスクレコーダ２００に表示処理情報を送信する方法は、これに限定されるものではなく、その他の方法も考えられる。例えば、ＨＰＤライン８６およびユーティリティライン８８により構成される双方向通信路を用いることも考えられる。
【０１１５】
また、上述実施の形態において、ディスクレコーダ２００からテレビ受信機３００に画像データを送信する構成となっている。しかし、テレビ受信機３００の代わりに、モニタ装置、あるいはプロジェクタ等に画像データを送信し、それらの機器内で画像データの方式に対応した表示処理を行う構成も考えられる。
【０１１６】
また、上述実施の形態において、ディスクレコーダ２００とテレビ受信機３００はＨＤＭＩケーブル４００で接続されてなるものである。しかし、これらの間が、ＨＤＭＩと同様のデジタルインタフェースで接続される場合、あるいは、無線によって接続される構成である場合にも、この発明を同様に適用できることは勿論である。
【産業上の利用可能性】
【０１１７】
この発明は、二次元画像データやそれと互換性のあるサイドバイサイド方式などの立体画像データを受信し、この画像データをＨＤＭＩ等のデジタルインタフェースにより送信する構成の画像データ送受信システム等に適用できる。
【符号の説明】
【０１１８】
１０・・・画像データ送受信システム
８１・・・ＨＤＭＩトランスミッタ
８２・・・ＨＤＭＩレシーバ
８４・・・ＣＥＣライン
８６・・・ＨＰＤライン
８８・・・ユーティリティライン
１００・・・放送局
２００・・・ディスクレコーダ
２０１・・・ＨＤＭＩ送信部
２０２・・・ＨＤＭＩ端子
２０３・・・アンテナ端子
２０４・・・デジタルチューナ
２０５・・・記録部インタフェース（記録部Ｉ／Ｆ）
２０６・・・ＤＶＤ／ＢＤドライブ
２０７・・・デマルチプレクサ
２０８・・・ビデオデコーダ
２０９・・・表示データ重畳部
２１０・・・ＯＳＤ表示データ発生部
２１１・・・オーディオデコーダ
２２１・・・ＣＰＵ、
３００・・・テレビ受信機
３０１・・・ＨＤＭＩ受信部
３０２・・・ＨＤＭＩ端子
３０３・・・アンテナ端子
３０４・・・デジタルチューナ
３０５・・・ビットストリーム処理部
３０６・・・３Ｄ信号処理部
３０７・・・映像処理回路
３０８・・・パネル駆動回路
３０９・・・表示パネル
３１０・・・音声処理回路
３１１・・・音声増幅回路
３１２・・・スピーカ
３２１・・・ＣＰＵ
３２５・・・リモコン受信部
３２６・・・リモコン送信機
４００・・・ＨＤＭＩケーブル
【図１】
0005609336.tif 000002
【図２】
0005609336.tif 000003
【図３】
0005609336.tif 000004
【図４】
0005609336.tif 000005
【図５】
0005609336.tif 000006
【図６】
0005609336.tif 000007
【図８】
0005609336.tif 000008
【図１０】
0005609336.tif 000009
【図１１】
0005609336.tif 000010
【図１２】
0005609336.tif 000011
【図１３】
0005609336.tif 000012
【図１４】
0005609336.tif 000013
【図１５】
0005609336.tif 000014
【図７】
0005609336.tif 000015
【図９】
0005609336.tif 000016